(57)【特許請求の範囲】
【請求項１】
複数のレンズを保持し、全ての前記レンズを光軸上に配置する繰り出し状態と、前記レンズのうちの一部のレンズからなる退避レンズを前記光軸上から退避させ前記繰り出し状態よりも前記光軸方向の長さを短縮した沈胴状態と、に変化可能に構成されたレンズ鏡筒であって、
前記光軸が通過する開口部を有する保持部材と、
前記退避レンズを保持し、前記保持部材に固定された前記光軸と平行な回動軸周りに回動可能であって、前記光軸に沿う方向から見た場合に、前記繰り出し状態においては前記開口部に重なる領域内に位置し、前記沈胴状態においては前記開口部から退避するように、前記保持部材に対して相対的に移動可能に支持された退避レンズ枠と、
前記保持部材と前記退避レンズ枠との間に配設され、前記回動軸周りに回動可能であって、前記光軸に沿う方向から見た場合に、前記繰り出し状態においては前記開口部のうちの前記退避レンズ枠が退避する方向に位置する領域を遮蔽し、前記沈胴状態においては前記開口部から退避して前記退避レンズ枠と重なる位置に移動するように、前記保持部材に対して相対的に移動可能に支持された遮光羽根と、を具備し、
前記退避レンズ枠及び前記遮光羽根は、互いに係合する係合部を具備し、前記遮光羽根は、前記係合部を介して前記退避レンズ枠の移動に連動して、前記回動軸周りに回動するレンズ鏡筒において、
前記回動軸は、前記保持部材に設けられた互いに平行かつ前記光軸に直交する一対の平面部の間に設けられた円柱状の部材であって、
前記退避レンズ枠は、前記回動軸の外周に摺動可能に嵌合し外周形状が前記回動軸を中心軸とした円筒形状部、及び前記円筒形状部の前記光軸に沿う方向の一端に設けられた前記円筒形状部よりも外径の小さい円筒面部を具備し、前記円筒形状部の前記回動軸に沿う方向の移動は、前記一対の平面部の間に前記円筒形状部が配設されることによって規制されており、
前記遮光羽根は、前記円筒面部の外周に摺動可能に嵌合する摺動孔を具備し、当該摺動孔が形成された箇所の前記光軸に沿う方向の厚さが、前記円筒面部の前記光軸に沿う方向の厚さよりも薄い
ことを特徴とするレンズ鏡筒。
【請求項２】
前記保持部材を前記光軸上に進出させる方向に付勢する付勢部材を具備し、
前記繰り出し状態における前記退避レンズ枠の前記回動軸周りの位置決めは、前記退避レンズ枠が前記付勢部材の付勢力によって前記保持部材に突き当てられることによってなされ、
前記係合部は、前記繰り出し状態において、前記羽根部材が前記回動軸周りに所定の範囲で回動可能なように、前記羽根部材との間に隙間を有する
ことを特徴とする請求項１に記載のレンズ鏡筒。
【発明の詳細な説明】
【技術分野】
【０００１】
本発明は、非使用時に全長を短縮可能な沈胴式のレンズ鏡筒に関する。
【背景技術】
【０００２】
スチルカメラ及びビデオカメラ等の撮像装置に用いられるレンズを保持するレンズ鏡筒において、非使用時におけるレンズ鏡筒の光学系部材の光軸に沿う方向についての長さを、撮影等の使用時における長さよりも短くすることができるように伸縮可能に構成されたものが知られている。このような非使用時に全長を短縮可能なレンズ鏡筒の形態は、一般に沈胴式レンズ鏡筒等と称されるものであり、例えば特開２００９−１６９２８５号公報に開示されている。
【０００３】
特開２００９−１６９２８５号公報に開示されているレンズ鏡筒は、複数のレンズのうちの一部を光軸上から軸直交方向へ退避させることによって、沈胴時のレンズ鏡筒の全長をより短縮する構成を有している。このようなレンズ鏡筒では、沈胴時において複数のレンズ同士を光軸に沿う方向に寄せ集めるだけではなく、比較的小径なレンズを光軸上から退避させることでレンズを軸直交方向に重なるように配置することで、レンズ鏡筒の体積に占めるレンズの体積の割合を上げるように複数のレンズを密集させて沈胴時の体積を小さくしている。
【０００４】
このように、沈胴時に複数のレンズの一部を光軸上から退避させてレンズを密集させるレンズ鏡筒では、沈胴時におけるレンズを保持する保持部材同士の干渉を避けるために、各部材に開口部や切れ込みを設ける必要がある。これらの開口部や切れ込みは、撮影等の使用時において撮影には不要な光線を通過させてしてしまい、この不要な光線が撮影結果に影響を及ぼしてしまうことがある。
【０００５】
このため、特開２００９−１６９２８５号公報に開示されているレンズ鏡筒では、保持部材の開口部等に、遮光用の可撓性のシートを配設することで、不要な光線を遮る構成としている。このシートは、沈胴時においては、保持部材等に押されることによって各部材間に収まるように変形することで、レンズ鏡筒の小型化を妨げないようになっている。
【先行技術文献】
【特許文献】
【０００６】
【特許文献１】特開２００９−１６９２８５号公報
【発明の概要】
【発明が解決しようとする課題】
【０００７】
特開２００９−１６９２８５号公報に開示されているレンズ鏡筒のように、不要な光線が通過する場所に遮光用のシートを設ける場合、撮影等の使用時においてシートの一部が、レンズを保持する保持部材に接触する場合がある。このように、使用時においてシートが保持部材に接触すると、変形したシートの反力によって、保持部材の姿勢を変化させてしまい、レンズの位置決めにばらつきを生じさせてしまうおそれがあり好ましくない。
【０００８】
本発明は、上記問題点に鑑みてなされたものであり、レンズ保持部材に設けられた開口部からの不要な光線の通過を防止し、かつレンズの位置決めを精度よく行うことができる沈胴可能なレンズ鏡筒を提供することを目的とする。
【課題を解決するための手段】
【０００９】
本発明のレンズ鏡筒は、複数のレンズを保持し、全ての前記レンズを光軸上に配置する繰り出し状態と、前記レンズのうちの一部のレンズからなる退避レンズを前記光軸上から退避させ前記繰り出し状態よりも前記光軸方向の長さを短縮した沈胴状態と、に変化可能に構成されたレンズ鏡筒であって、前記光軸が通過する開口部を有する保持部材と、前記退避レンズを保持し、前記保持部材に固定された前記光軸と平行な回動軸周りに回動可能であって、前記光軸に沿う方向から見た場合に、前記繰り出し状態においては前記開口部に重なる領域内に位置し、前記沈胴状態においては前記開口部から退避するように、前記保持部材に対して相対的に移動可能に支持された退避レンズ枠と、前記保持部材と前記退避レンズ枠との間に配設され、前記回動軸周りに回動可能であって、前記光軸に沿う方向から見た場合に、前記繰り出し状態においては前記開口部のうちの前記退避レンズ枠が退避する方向に位置する領域を遮蔽し、前記沈胴状態においては前記開口部から退避して前記退避レンズ枠と重なる位置に移動するように、前記保持部材に対して相対的に移動可能に支持された遮光羽根と、を具備し、前記退避レンズ枠及び前記遮光羽根は、互いに係合する係合部を具備し、前記遮光羽根は、前記係合部を介して前記退避レンズ枠の移動に連動して、前記回動軸周りに回動するレンズ鏡筒において、前記回動軸は、前記保持部材に設けられた互いに平行かつ前記光軸に直交する一対の平面部の間に設けられた円柱状の部材であって、前記退避レンズ枠は、前記回動軸の外周に摺動可能に嵌合し外周形状が前記回動軸を中心軸とした円筒形状部、及び前記円筒形状部の前記光軸に沿う方向の一端に設けられた前記円筒形状部よりも外径の小さい円筒面部を具備し、前記円筒形状部の前記回動軸に沿う方向の移動は、前記一対の平面部の間に前記円筒形状部が配設されることによって規制されており、前記遮光羽根は、前記円筒面部の外周に摺動可能に嵌合する摺動孔を具備し、当該摺動孔が形成された箇所の前記光軸に沿う方向の厚さが、前記円筒面部の前記光軸に沿う方向の厚さよりも薄いことを特徴とする。
【発明の効果】
【００１０】
本発明によれば、レンズ保持部材に設けられた開口部からの不要な光線の通過を防止し、かつレンズの位置決めを精度よく行うことができる沈胴可能なレンズ鏡筒を実現できる。
【図面の簡単な説明】
【００１１】
【図１】繰り出し状態にあるレンズ鏡筒の断面図である。
【図２】沈胴状態にあるレンズ鏡筒の断面図である。
【図３】繰り出し状態における直進枠、第３群レンズ保持枠及び遮光羽根を後方から見た図である。
【図４】沈胴状態における直進枠、第３群レンズ保持枠及び遮光羽根を後方から見た図である。
【図５】第３群レンズ保持枠を後方から見た図である。
【図６】図５のＡ矢視図である。
【図７】遮光羽根を後方から見た図である。
【図８】図６のＢ矢視図である。
【図９】第３群レンズ保持枠及び遮光羽根の動作を説明する図である。
【図１０】第３群レンズ保持枠及び遮光羽根の動作を説明する図である。
【図１１】回動軸の断面図である。
【発明を実施するための形態】
【００１２】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１３】
本実施形態のレンズ鏡筒１は、スチルカメラ及びビデオカメラ等の撮像装置に適用されるものであって、レンズ等からなる光学系部材を保持する複数の枠部材を具備して構成されている。また、レンズ鏡筒１は、非撮影時におけるレンズ鏡筒１の光学系部材の光軸に沿う方向についての長さを、撮影時における長さよりも短くすることができるように、光軸に沿う方向に伸縮可能に構成されている。このようなレンズ鏡筒１の形態は、一般に沈胴式のレンズ鏡筒と称される。
【００１４】
以下の説明においては、レンズ鏡筒１における撮影光学系部材の光軸を符号Ｏで表すものとする。この光軸Ｏに沿う方向において被写体側（物体側）を前方とし、レンズ鏡筒を構成する各枠部材が、前方に向かう際の方向を繰り出し方向というものとする。一方、光軸Ｏに沿う方向において結像側（像側）を後方とし、各枠部材が後方に向かう際の方向を繰り込み方向というものとする。当該レンズ鏡筒における各構成部材の回転方向は、前方側から見た回転方向で表わすものとする。
【００１５】
図１は、繰り出し状態（撮影時）のレンズ鏡筒１の断面図を示している。また、図２は、沈胴状態（非撮影時）のレンズ鏡筒１の断面図を示している。レンズ鏡筒１は、第１群レンズ２１、第２群レンズ２２、第３群レンズ２３及び第４群レンズ２４からなる光学系部材を保持するように構成されている。なお、レンズ鏡筒１に配設される光学系部材は、レンズに限られるものではなく、ＮＤフィルタ等の光学フィルタ、及びプリズム等を含む形態であってもよい。
【００１６】
レンズ鏡筒１は、第１群レンズ２１、第２群レンズ２２、第３群レンズ２３及び第４群レンズ２４をそれぞれ保持し移動可能な枠部材である、第１群レンズ保持枠１１、第２群レンズ保持枠１２、第３群レンズ保持枠１３及び第４群レンズ保持枠１４を具備して構成されている。第１群レンズ保持枠１１、第２群レンズ保持枠１２、第３群レンズ保持枠１３及び第４群レンズ保持枠１４は、固定枠２に対して光軸Ｏ方向に相対的に移動可能である。また、レンズ鏡筒１は、図示しない電動モータの駆動力によって光軸Ｏ周りに回転しながら光軸Ｏ方向に進退移動する回転枠４及びカム枠５と、光軸Ｏ周りの回転を規制された状態で光軸Ｏ方向に進退移動する移動枠３と、を具備して構成されている。
【００１７】
固定枠２は、レンズ鏡筒１を撮像装置に固定するために、撮像装置に固定される部材である。固定枠２は、略筒形状の部材であって、光軸Ｏを中心軸とした円筒面である内周面にカム溝２ａが彫設されている。カム溝２ａは、光軸Ｏに対して斜行するような所定のカムプロファイルを有して設けられている。固定枠２の外周部には、図示しない電動モータが固定されている。また、本実施形態では一例として、固定枠２の後方には、保持板２７を介して例えばＣＣＤ又はＣＭＯＳセンサと称される形態の撮像素子２６が固定されている。撮像素子２６は、光軸Ｏに対して受光面が直交するように固定されている。なお、撮像素子２６は、撮像素子２６を光軸Ｏに対して移動可能に保持するいわゆる像ブレ補正機構を介して固定枠２に固定される形態であってもよい。
【００１８】
回転枠４は、固定枠２の内側に収まる略円筒形状の枠部材である。回転枠４は、固定枠２の内周部において、光軸Ｏ周りに回転可能かつ、光軸Ｏに沿って進退可能に配設されている。回転枠４の外周部には、固定枠２のカム溝２ａに摺動可能に係合するカムフォロアが設けられている。移動枠３は、回転枠４の内側に収まる略円筒形状の枠部材である。移動枠３は、回転枠４の内周部に、光軸Ｏ周りの回動が記載された状態で配設されている。移動枠３の内周面には、カム溝３ａが彫設されている。カム溝３ａは、所定のカムプロファイルを有して設けられている。
【００１９】
回転枠４は、電動モータの駆動力によって、固定枠２に対して相対的に光軸Ｏ周りに回転駆動される。回転枠４は、カムフォロアと固定枠２のカム溝２ａとの係合によって、光軸Ｏ周りの回転に伴って光軸Ｏに沿って進退移動する。
【００２０】
カム枠５は、移動枠３の内側に収まる略円筒形状の枠部材である。カム枠５は、移動枠３の内周部において、光軸Ｏ周りに回転可能かつ、光軸Ｏに沿って進退可能に配設されている。カム枠５の外周部には、移動枠３のカム溝３ａに摺動可能に係合するカムフォロアが設けられている。
【００２１】
カム枠５の内周面には、カム溝５ａ及び５ｂと、図示しないレンズ退避用カム溝が彫設されている。また、カム枠５の外周面には、カム溝５ｃが彫設されている。カム溝５ａ、５ｂ及び５ｃとレンズ退避用カム溝は、それぞれ所定のカムプロファイルを有して設けられている。
【００２２】
カム枠５は、電動モータの駆動力によって、回転枠３と共に移動枠３に対して相対的に光軸Ｏ周りに回転駆動される。カム枠５は、カムフォロアと移動枠３のカム溝３ａとの係合によって、光軸Ｏ周りの回転に伴って光軸Ｏに沿って進退移動する。
【００２３】
第１群レンズ保持枠１１は、第１群レンズ２１を光軸Ｏ上に保持する略円筒形状の枠部材である。第１群レンズ保持枠１１は、移動枠３の内側に収まり、かつカム枠５の外側に所定の隙間を有して嵌合している。第１群レンズ保持枠１１は、光軸Ｏ周りの回転を規制され、かつカム枠５に対して相対的に光軸Ｏに沿って進退移動可能に配設されている。
【００２４】
第１群レンズ保持枠１１の内周面には、カム枠５のカム溝５ｃに摺動可能に係合するカムフォロアが設けられている。第１群レンズ保持枠１１は、光軸Ｏ周りの回転を規制されていることから、カムフォロアとカム枠５のカム溝５ｃとの係合によって、カム枠５の回転に伴って光軸Ｏに沿って進退移動する。
【００２５】
第２群レンズ保持枠１２は、第２群レンズ２２を第１群レンズ２１よりも後方において光軸Ｏ上に保持し、カム枠５内にカム枠５の前方から収まる形状を有する枠部材である。第２群レンズ保持枠１２は、光軸Ｏ周りの回転を規制され、かつカム枠５に対して相対的に光軸Ｏに沿って進退移動可能に配設されている。
【００２６】
第２群レンズ保持枠１２の外周部には、カム枠５のカム溝５ａに摺動可能に係合するカムフォロアが設けられている。第２群レンズ保持枠１２は、光軸Ｏ周りの回転を規制されていることから、カムフォロアとカム枠５のカム溝５ａとの係合によって、カム枠５の回転に伴って光軸Ｏに沿って進退移動する。
【００２７】
退避レンズ枠である第３群レンズ保持枠１３は、レンズ鏡筒１が繰り出し状態である場合に、第３群レンズ２３を第２群レンズ２３よりも後方において光軸Ｏ上に保持する枠部材である。詳しくは後述するが、図２に示すように、第３群レンズ保持枠１３は、レンズ鏡筒１が沈胴状態である場合に、光軸Ｏ上から退避するように配設されている。このように、本実施形態のレンズ鏡筒１は、沈胴状態において第３群レンズ保持枠１３を光軸Ｏ上から退避させることにより、沈胴状態時において、第２群レンズ保持枠１２と第４群レンズ保持枠１４との光軸Ｏ方向の距離を短縮することができ、沈胴状態におけるレンズ鏡筒１の長さを短縮することができる。第３群レンズ保持枠１３は、詳しくは後述するが、直進枠７によって保持されている。
【００２８】
保持部材である直進枠７は、カム枠５内にカム枠５の後方から収まる形状を有する略円筒形状の枠部材である。直進枠７は、光軸Ｏ周りの回転を規制され、かつカム枠５に対して相対的に光軸Ｏに沿って進退移動可能に配設されている。
【００２９】
直進枠７の外周面には、カム枠５のカム溝５ｂに摺動可能に係合するカムフォロアが設けられている。第１群レンズ保持枠１１は、光軸Ｏ周りの回転を規制されていることから、カムフォロアとカム枠５のカム溝５ｂとの係合によって、カム枠５の回転に伴って光軸Ｏに沿って進退移動する。直進枠７は、光軸Ｏ周りの回転を規制されていることから、カムフォロアとカム枠５のカム溝５ｃとの係合によって、カム枠５の回転に伴って光軸Ｏに沿って進退移動する。第３群レンズ保持枠１３は、この直進枠７の進退移動に伴って、光軸Ｏに沿って進退移動する。
【００３０】
直進枠７は、第３群レンズ保持枠１３の他に、第３群レンズ保持枠１３の後方にシャッターユニット２５及び後述する遮光羽根８を保持している。シャッターユニット２５は、撮影光路を開閉するためのシャッター機能と、撮影光量の調整を行うための絞り機能を有して構成されている。
【００３１】
直進枠７内には、光軸Ｏと略平行な円柱形状の摺動軸７ａが設けられている。一方、シャッターユニット２５には、摺動軸７ａに摺動可能に嵌合する貫通孔２５ｂが設けられている。シャッターユニット２５は、直進枠７に対して相対的に光軸Ｏに沿って移動可能に配設されている。
【００３２】
また、シャッターユニット２５には、レンズ鏡筒１の沈胴状態において、光軸Ｏ方向から見た場合に、第３群レンズ保持枠１３と重なる領域に貫通孔２５ａが設けられている。レンズ鏡筒１が繰り出し状態から沈胴状態へ移る場合には、シャッターユニット２５は、第３群レンズ保持枠１３に対して前方へ相対的に移動する。このとき、貫通孔２５ａ内に、第３群レンズ保持枠１３の後端部が挿通される。このように、レンズ鏡筒１の沈胴状態時に、第３群レンズ保持枠１３の一部とシャッターユニット２５の一部とを、光軸Ｏに直交する方向から見た場合に重なるようにすることによって、沈胴状態におけるレンズ鏡筒１の長さを短縮することができる。
【００３３】
第４群レンズ保持枠１４は、第４群レンズ２４をシャッターユニット２５よりも後方において光軸Ｏ上に保持する枠部材である。第４群レンズ保持枠１４は、光軸Ｏ周りの回転が規制された状態で光軸Ｏに沿って進退可能に配設されている。第４群レンズ枠１４は、回転枠４を回転駆動する電動モータとは異なるアクチュエータによって、光軸Ｏに沿う方向に移動するように構成されている。第４群レンズ２４は、いわゆるフォーカシングレンズであって、光学系部材の合焦距離を変化させる場合に、第４群レンズ保持枠１４は光軸Ｏに沿って進退駆動される。
【００３４】
以下に、直進枠７、第３群レンズ保持枠１３及び遮光羽根８の詳細な構成について説明する。図３は、レンズ鏡筒１が繰り出し状態である場合における直進枠７、第３群レンズ保持枠１３及び遮光羽根８を後方から見た図である。図４は、レンズ鏡筒１が沈胴状態である場合における直進枠７、第３群レンズ保持枠１３及び遮光羽根８を後方から見た図である。
【００３５】
図３に示すように、保持部材である直進枠７は、前方側に光軸Ｏに略直交する平面形状の平面部７ｂを有し、平面部７ｂの後方に光軸を中心軸とした略円筒形状の側面部７ｄを有する形状の部材である。平面部７ｂには、貫通孔である開口部７ｃが形成されている。開口部７ｃは、第２群レンズ保持枠１３の後方側端部を内部に挿通することが可能な形状を有する。
【００３６】
本実施形態では、開口部７ｃは略円形の貫通孔である。本実施形態では、第２群レンズ２２の最も後方のレンズの外径が、第３群レンズ２３の最も外径の大きいレンズの外径よりも大きいため、光軸Ｏ方向から見た場合に、開口部７ｃは、第３群レンズ２３よりも大きい直径を有する。
【００３７】
また、平面部７ｂには、回動軸１０が立設されている。回動軸１０は、光軸Ｏから所定の距離Ｒ１だけ離間し、光軸Ｏに略平行な軸部材であって、第３群レンズ保持枠１３及び遮光羽根８の少なくとも一方を、回動可能に支持する部材である。
【００３８】
具体的に本実施形態では、回動軸１０は、円柱形状の部材であって、図１１に示すように、平面部７ｂ、及び平面部７ｂと略平行であって側面部７ｄから径方向内側に延出する舌片部７ｈ、によって前端部及び後端部が支持されている。
【００３９】
また、直進枠７の平面部７ｂには、後述する第３群レンズ保持枠１３及び遮光羽根８に当接することによって、第３群レンズ保持枠１３及び遮光羽根８の前記回動軸１０周りの位置決めを行うための凸部であるストッパ７ｆ及び７ｇが設けられている。
【００４０】
直進枠７の側面部７ｄには、貫通孔である退避用開口部７ｅが形成されている。退避用開口部７ｅは、図２に示すように、第３群レンズ保持枠１３が光軸Ｏ上から退避した状態において、第３群レンズ保持枠１３の一部を内部に収容可能に設けられている。言い換えれば、退避用開口部７ｅは、側面部７ｄの第３群レンズ保持枠１３と干渉する位置に設けられた貫通孔である。このように、側面部７ｄに退避用開口部７ｅを設けることによって、沈胴状態において第３群レンズ保持枠１３を光軸Ｏからより遠くに退避させることができ、第２群レンズ保持枠１２と第４群レンズ保持枠１４との光軸Ｏ方向の距離をより短縮することができる。
【００４１】
図５は、第３群レンズ保持枠１３を後方から見た図である。図５に示すように、第３群レンズ保持枠１３は、円筒形状部１３ｄと、円筒形状部１３ｄの外周部から延出する腕部１３ｂと、腕部１３ｂの先端部に固定された第３群レンズ２３を保持するレンズ保持部１３ａと、レンズ保持部１３ａから延出する当接部１３ｆと、を具備して構成されている。
【００４２】
円筒形状部１３ｄは、摺動軸１０の外周に摺動可能に嵌合する摺動孔１３ｃが形成された略円筒形状の部位である。第３群レンズ保持枠１３において、摺動孔１３ｃの中心軸と、レンズ保持部１３ａに保持される第３群レンズ２３のレンズ光軸とが略平行であり、かつこの中心軸とレンズ光軸との間の距離Ｒ２は、回動軸１０の中心軸と光軸Ｏとの間の距離Ｒ１と略同一である。したがって、回動軸１０と摺動孔１３ｃとを嵌め合わせることによって、第３群レンズ保持枠１３は、直進枠７に対して光軸Ｏと略平行な回動軸１０周りに回動可能に支持される。
【００４３】
円筒形状部１３ｄの軸方向の長さは、図１１に示すように、直進枠７の平面部７ｂ及び舌片部７ｈの間に、摺動可能に内挿される長さとされている。これにより、直進枠７に対する、第３群レンズ保持枠１３の光軸Ｏ方向の位置決めがなされる。
【００４４】
また、円筒形状部１３ｄの外周部には、円筒面部１３ｇが設けられている。円筒面部１３ｇは、後述する遮光羽根８が、この円筒面部１３ｇ周りに回動可能に外挿される部位である。円筒面部１３ｇの中心軸は、摺動孔１３ｃの中心軸と略一致する。本実施形態では図６に示すように、円筒面部１３ｇは、円筒形状部１３ｄの他の部位よりも外径が小さく、軸方向に所定の長さＬ１を有して形成されている。
【００４５】
また、円筒形状部１３ｄの外周部からは、作動レバー１３ｆが径方向外側に向かって立設されている。作動レバー１３ｆは、図１１に示すように、直進枠７の側面部７ｄに形成された貫通孔を介して、側面部７ｄの外周側に突出するように設けられている。作動レバー１３ｆは、カム枠５の内周面に彫設されたレンズ退避用カム溝に摺動可能に係合する。直進枠７の外周に配設されたカム枠５が、直進枠７に対して光軸Ｏ周りに相対的に回動することによって、第３群レンズ保持枠１３は、回動軸１０周りに回動する。
【００４６】
当接部１３ｈは、直進枠７の平面部７ｂに設けられた凸形状のストッパ７ｆに当接することによって、レンズ鏡筒１の繰り出し状態における第３群レンズ保持枠１３の回動軸１０周りの位置決めをするための部位である。図４に示すように第３群レンズ２３が光軸Ｏ上から退避した状態から図３及び図９に示すように光軸Ｏ上に進出する方向へ第３群レンズ保持枠１３を回動させた場合に、第３群レンズ２３のレンズ光軸が光軸Ｏに略一致する場所において、当接部１３ｈは、ストッパ７ｆに当接する。
【００４７】
本実施形態では、当接部１３ｈは、レンズ保持部１３ａよりも回動軸１０から離れた位置に設けられている。このように、当接部１３ｈを回動軸１０から径方向により離れた位置に設けることによって、レンズ鏡筒１の繰り出し状態における第３群レンズ２３の位置決めに対する、各部材の寸法誤差の影響を小さくすることができる。
【００４８】
腕部１３ｂには、係合部１３ｅが設けられている。係合部１３ｅは、後述する遮光羽根８に係合し、第３群レンズ保持枠１３の回動に伴って遮光羽根８を連動させるための部位である。本実施形態では、係合部１３ｅは、腕部１３ｂの前方側の面から、前方に向かって突出する凸形状を有している。より具体的には、係合部１３ｅは、直径Ｄ１の円柱形状を有している。そして係合部１３ｅは、中心軸が摺動孔１３ｃの中心軸と略平行となり、かつ中心軸が摺動孔１３ｃの中心軸から距離Ｒ３だけ離れた位置に配設されている。
【００４９】
また、本実施形態では、第３群レンズ保持枠１３は、弾性を有する付勢部材９によって、光軸Ｏ上に進出する方向に付勢されている。すなわち、付勢部材９は、第３群レンズ保持枠１３の当接部１３ｈがストッパ７ｆに当接する方向に、第３群レンズ保持枠１３を付勢している。本実施形態では一例として、付勢部材９は、回動軸１０周りに巻回されたねじりばねによって構成されている。
【００５０】
このように付勢部材９によって、第３群レンズ保持枠１３を当接部１３ｈがストッパ７ｆに当接する方向に付勢することによって、繰り出し状態における、第３群レンズ２３の位置決めを、遊びのない状態で行うことができる。なお、付勢部材９の形態は、ねじりばねに限られるものではなく、板バネやコイルばねであってもよい。
【００５１】
図７は、遮光羽根８を後方から見た図である。図７に示すように、遮光羽根８は、円筒形状部８ｂと、円筒形状部８ｂの外周部から延出する遮光部８ａと、当接部８ｄとを具備して構成されている。
【００５２】
円筒形状部８ｂは、第３群レンズ保持枠１３の円筒面部１３ｇの外周に所定の隙間を有して嵌合する摺動孔８ｃが形成された略円筒形状の部位である。摺動孔８ｃが第３群レンズ保持枠１３の円筒面部１３ｇに嵌合することによって、遮光羽根８は、円筒面部１３ｇの中心軸周りに回動可能に支持される。言い換えれば、遮光羽根８は、直進枠７に対して光軸Ｏと略平行な回動軸１０周りに回動可能に支持される。
【００５３】
円筒形状部８ｂの中心軸方向の厚さＬ２は、円筒面部１３ｇの中心軸方向の長さＬ１よりも所定の値だけ小さい値とされている。前述したように、円筒面部１３ｇは、円筒形状部１３ｄの他の部位よりも外径が小さいことから、摺動孔８ｃを第３群レンズ保持枠１３の円筒面部１３ｇに嵌合させ、かつ第３群レンズ保持枠１３の摺動孔１３ｃを回動軸１０に嵌合させた場合には、図１１に示すように、円筒形状部８ｂは、平面部７ｂと、円筒形状部１３ｄの円筒面部１３ｇよりも外径の大きい部位とによって、光軸Ｏ方向に所定の隙間を有して挟持される。すなわち、この状態において、直進枠７に対する、遮光羽根８の光軸Ｏ方向の位置決めがなされる。
【００５４】
以上のように、本実施形態のレンズ鏡筒１では、遮光羽根８を、第３群レンズ保持枠１３の円筒面部１３ｇの外周に隙間を有した状態で嵌め合わせることによって、第３群レンズ保持枠１３及び遮光羽根８は、直進枠７に対して回動軸１０周りに回動可能に支持されている。このため本実施形態では、直進枠７に対する第３群レンズ保持枠１３の位置決めの精度は、直進枠７に設けられた平面部７ｂ、舌片部７ｈ及びストッパ７ｇと、直進枠７に固定された回動軸１０とによって影響されるのみとなる。
【００５５】
すなわち、本実施形態では、遮光羽根８の回動や、遮光羽根８の形状寸法のばらつきが、直進枠７に対する第３群レンズ保持枠１３の位置決めの精度に影響を及ぼすことがない。このため本実施形態では、沈胴状態において光軸Ｏ上から退避する第３群レンズ２３を、繰り出し状態において精度よく位置決めして保持することができる。
【００５６】
当接部８ｄは、直進枠７の平面部７ｂに設けられた凸形状のストッパ７ｇに当接することによって、レンズ鏡筒１の繰り出し状態における遮光羽根８の回動軸１０周りの位置決めをするための部位である。図４に示すように遮光羽根８が直進枠７の開口部７ｃに重なる位置から退避した状態から、図３及び図９に示すように開口部７ｃに重なる位置へ遮光羽根８を進出するように回動させた場合に、当接部８ｄは、所定の位置でストッパ７ｇに当接する。
【００５７】
遮光部８ａは、円筒形状部８ｂの外周部から径方向外側に向かって延出する略平板状の部位である。遮光部８ａは、レンズ鏡筒１の繰り出し状態、すなわち遮蔽羽根８が進出した状態において、光軸Ｏ方向から見た場合に、開口部７ｃの第３群レンズ２３の有効光路を妨げない領域の少なくとも一部を遮蔽する形状を有する。
【００５８】
具体的に本実施形態では、遮光部８ａは、図９に示すように、レンズ鏡筒１の繰り出し状態において、光軸Ｏ方向から見た場合に、第３群レンズ保持枠１３よりも第３群レンズ保持枠１３が退避する方向に存在する開口部７ｃの領域を遮蔽する形状を有している。
【００５９】
遮光部８ａには、係合部８ｅが設けられている。係合部８ｅは、第３群レンズ保持枠１３の係合部１３ｅと係合することによって、第３群レンズ保持枠１３の回動に伴って遮光羽根８を連動させるための部位である。本実施形態では、係合部８ｅは、遮光部８ａの後方側の面に彫設された凹形状の溝部である。
【００６０】
より具体的に、係合部８ｅは、摺動孔８ｃの中心軸を中心とした半径Ｒ４の略円弧形状の溝である。係合部８ｅの幅Ｄ２は、第３群レンズ保持枠１３の係合部１３ｅの直径Ｄ１よりも所定の値だけ大きい。また略円弧形状の係合部８ｅの半径Ｒ４は、係合部１３ｅと摺動孔１３ｃの中心軸との離間距離Ｒ３と略同一である。
【００６１】
そして、図９に示すように、レンズ鏡筒１が繰り出し状態である場合において、溝である係合部８ｅと、溝部内に突出する係合部１３ｅとの間に、所定の隙間が生じるように、溝である係合部８ｅの一方の端部は形成されている。したがって、繰り出し状態における遮光羽根８の回動方向の位置決めは、開口部７ｃ側に進出する方向については、当接部８ｄがストッパ７ｇに突き当たることによって行われ、開口部７ｃから退避する方向については、係合部８ｅ及び係合部１３ｅの係合関係によって行われる。すなわち、遮光羽根８は、繰り出し状態において、回動軸１０周りの回動方向に若干の遊びを有した状態で位置決めされている。
【００６２】
このように、レンズ鏡筒１が繰り出し状態である場合において、第３群レンズ保持枠１３の係合部１３ｅと、遮光羽根８の係合部８ｅとの間に隙間が生じるようにすることによって、係合部１３ｅ及び係合部８ｅの係合が、第３群レンズ保持枠１３の位置決め精度に影響を及ぼすことを防止している。
【００６３】
なお、以上のような構成を有する遮光羽根８は、例えば黒色の合成樹脂を材料とした一体成形により作成される。また、遮光部８ａの表面には、光の反射率を抑えるために、凹凸形状が一面に形成されることが好ましい。
【００６４】
以上のような構成を有する本実施形態のレンズ鏡筒１では、繰り出し状態において、直進枠７の開口部７ｃのうちの第３群レンズ保持枠１３と重ならない領域の一部を、遮光羽根８の遮光部８ａによって遮蔽することができる。具体的には、本実施形態のレンズ鏡筒１では、繰り出し状態において、光軸Ｏ方向から見た場合に、第３群レンズ保持枠１３よりも第３群レンズ保持枠１３が退避する方向に存在する開口部７ｃの領域が、遮光部８ａによって遮蔽される。
【００６５】
レンズ鏡筒１において、光軸Ｏ方向から見た場合に第３群レンズ保持枠１３が退避する方向には、直進枠７の退避用開口部７ｅや、シャッターユニット２５の貫通孔２５ａが設けられている。この退避用開口部７ｅ及び貫通孔２５ａは、沈胴状態において第３群レンズ保持枠１３を収容する空間を形成するために設けられたものである。
【００６６】
退避用開口部７ｅ及び貫通孔２５ａは、図１に矢印Ａ１及びＡ２で示すように、繰り出し状態において光学系部材による像の結像には不要な光線を通過させてしまう可能性があるが、本実施形態では、この退避用開口部７ｅ及び貫通孔２５ａよりも前方に遮光羽根８が位置し、遮光羽根８が、開口部７ｃの退避用開口部７ｅ及び貫通孔２５ａが位置する方向の領域を遮蔽しているため、退避用開口部７ｅ及び貫通孔２５ａを通過する不要な光線が生じることがない。
【００６７】
したがって、本実施形態のレンズ鏡筒１は、沈胴状態において第３群レンズ２３を光軸Ｏ上から退避させることによって、沈胴状態のレンズ鏡筒１の全長を短縮することができ、かつ繰り出し状態において第３群レンズ２３を退避させるために形成した退避用開口部７ｅ及び貫通孔２５ａを通過する不要な光線の発生を防止することができ、高い画質の結像を得ることができる。
【００６８】
遮光羽根８は、レンズ鏡筒１は繰り出し状態である場合において、第３群レンズ保持枠１３の位置決めに干渉することがない。このため、本実施形態のレンズ鏡筒１は、第３群レンズ２３の位置決めを精度よく行うことができる。以上に説明したように、本実施形態のレンズ鏡筒１は、不要な光線の通過を防止、及びレンズの位置決め精度の向上を実現することができる。
【００６９】
なお、本発明は、上述した実施形態に限られるものではなく、請求の範囲及び明細書全体から読み取れる発明の要旨或いは思想に反しない範囲で適宜変更可能であり、そのような変更を伴うレンズ鏡筒もまた本発明の技術的範囲に含まれるものである。
【産業上の利用可能性】
【００７０】
本発明に係るレンズ鏡筒は、実施形態で説明した撮像装置に限らず、撮影機能を備えた電子機器のレンズ鏡筒にも適用可能であるし、フィルムカメラのレンズ鏡筒にも適用可能である。
【符号の説明】
【００７１】
１    レンズ鏡筒、
２    固定枠、
３    移動枠、
４    回転枠、
５    カム枠、
７    直進枠（保持部材）、
７ａ    摺動軸、
７ｂ    平面部、
７ｃ    開口部、
７ｄ    側面部、
７ｅ    退避用開口部、
７ｆ    ストッパ、
７ｇ    ストッパ、
７ｈ    舌片部、
８    遮光羽根、
８ａ    遮光部、
８ｂ    円筒形状部、
８ｃ    摺動孔、
８ｄ    当接部、
９    付勢部材、
１０    回動軸、
１１    第１群レンズ保持枠、
１２    第２群レンズ保持枠、
１３    第３群レンズ保持枠（退避レンズ枠）、
１３ａ    レンズ保持部、
１３ｂ    腕部、
１３ｃ    摺動孔、
１３ｄ    円筒形状部、
１３ｅ    係合部、
１３ｆ    作動レバー、
１３ｇ    円筒面部、
１３ｈ    当接部、
１４    第４群レンズ保持枠、
２１    第１群レンズ、
２２    第２群レンズ、
２３    第３群レンズ、
２４    第４群レンズ、
２５    シャッターユニット、
２５ａ    貫通孔、
２５ｂ    貫通孔、
２６    撮像素子、
２７    保持板。
【図１】
0005558236.tif 000002
【図２】
0005558236.tif 000003
【図３】
0005558236.tif 000004
【図４】
0005558236.tif 000005
【図５】
0005558236.tif 000006
【図６】
0005558236.tif 000007
【図７】
0005558236.tif 000008
【図８】
0005558236.tif 000009
【図９】
0005558236.tif 000010
【図１０】
0005558236.tif 000011
【図１１】
0005558236.tif 000012